(57)【要約】【課題】電子装置を使用して所定の処理を行う装置において、電子装置の故障の有無判断を的確に行うことができるようにする。【解決手段】画像形成装置本体では、センサモニタ部６１で、用紙供給装置と接続するコネクタを介して用紙供給装置のフィードアウトセンサ１３の出力信号を直接受信する。また、データ通信部６２で、用紙供給装置のシステム制御部からコネクタを介した有線パケット通信で用紙供給装置のフィードアウトセンサ１３の出力信号の状態を受信する。故障箇所判断部６３は、センサモニタ部６１、データ通信部６２それぞれで検出したフィードアウトセンサ１３の出力信号の状態から故障の有無を判断する。【選択図】図４
2009300598.tif 000002
【特許請求の範囲】
【請求項１】
電子装置を使用して所定の処理を行う処理手段と、
前記電子装置の出力信号を通信により受信する通信受信手段と、
信号線を介して前記電子装置の出力信号を直接受信する信号受信手段と、
前記通信受信手段で受信した前記出力信号と前記信号受信手段で受信した前記出力信号とに基づいて故障の発生を判定する故障発生判定手段と、
を備えている処理装置。
【請求項２】
前記故障発生判定手段により故障があると判定したときは故障の事実を報知する報知手段をさらに備えている請求項１に記載の処理装置。
【請求項３】
前記故障発生判定手段は、前記電子装置が所定の物理量を検出する検出器であったときは前記通信受信手段で受信した前記出力信号のオン、オフと前記信号受信手段で受信した前記出力信号のオン、オフとが不一致であるときには前記電子装置以外の故障があると判定する請求項１又は２に記載の処理装置。
【請求項４】
前記処理手段で処理を行う頻度を検出する頻度検出手段と、
前記頻度検出手段で検出した頻度に応じて前記故障有無判定手段で故障の有無を判定する頻度を設定する判定頻度設定手段と、
をさらに備え、
前記故障発生判定手段は、前記判定頻度設定手段で設定された頻度で前記故障の発生の判定を行う、
請求項１〜３のいずれかの一項に記載の処理装置。
【請求項５】
前記頻度検出手段は、前記処理手段の累計の稼働時間により前記処理手段で処理を行う頻度を検出する、請求項４に記載の処理装置。
【請求項６】
前記頻度検出手段は、前記処理手段で処理を行った累計の処理量により前記処理手段で処理を行う頻度を検出する、請求項４に記載の処理装置。
【請求項７】
電子装置を使用して所定の処理を行う処理手段と、
前記電子装置の出力信号を通信により受信する通信受信手段と、
信号線を介して前記電子装置の出力信号を直接受信する信号受信手段と、
前記通信受信手段で受信した前記出力信号と前記信号受信手段で受信した前記出力信号とに基づいて故障の発生を判定する故障発生判定手段と、
をコンピュータに実行させるコンピュータに読み取り可能な処理制御プログラム。
【請求項８】
前記故障発生判定手段により故障があると判定したときは故障の事実を報知する報知手段をさらにコンピュータに実行させる請求項７に記載の処理制御プログラム。
【請求項９】
前記故障発生判定手段は、前記電子装置が所定の物理量を検出する検出器であったときは前記通信受信手段で受信した前記出力信号のオン、オフと前記信号受信手段で受信した前記出力信号のオン、オフとが不一致であるときには前記電子装置以外の故障があると判定する請求項７又は８に記載の処理制御プログラム。
【請求項１０】
前記処理手段で処理を行う頻度を検出する頻度検出手段と、
前記頻度検出手段で検出した頻度に応じて前記故障有無判定手段で故障の有無を判定する頻度を設定する判定頻度設定手段と、
をさらにコンピュータに実行させ、
前記故障発生判定手段は、前記判定頻度設定手段で設定された頻度で前記故障の発生の判定を行う、
請求項７〜９のいずれかの一項に記載の処理制御プログラム。
【発明の詳細な説明】
【技術分野】
【０００１】
本発明は、処理装置及び処理制御プログラムに関する。
【背景技術】
【０００２】
特許文献１には、センサ等のデバイスの異常判定用の信号や波形を予め作成しておき、これらを当該デバイスの現実の信号や波形と比較してデバイスの故障診断を行う技術について開示されている。
【０００３】
特許文献２には、装置本体と接続されているオプション装置に設けられたセンサなどのデバイスの状態を、予め決められたタイミングで検証することで当該デバイスの故障やコネクタ抜けなどの診断を行う技術について開示されている。
【特許文献１】特開平０９‐２８２０２８号公報
【特許文献２】特開２００６‐１５３９１２号公報
【発明の開示】
【発明が解決しようとする課題】
【０００４】
例えば、電子写真方式の画像形成装置においては、画像形成装置本体に、用紙供給装置、画像読取装置などのオプション装置を後付して用いる場合がある。このような画像形成装置本体とオプション装置とはコネクタで接続して使用する。
【０００５】
このような画像形成装置本体とオプション装置とからなる画像形成システムにおいて、オプション装置のセンサ等のデバイスの出力信号は、オプション装置のマイクロコンピュータと画像形成装置本体のマイクロコンピュータとの間でコネクタを介した有線パケット通信を行うことにより画像形成装置本体に伝えられる。
【０００６】
しかしながら、有線パケット通信でデバイスの出力信号を画像形成装置本体で受信する場合は、通信ラインが断線し、あるいは、コネクタの抜けが発生している場合であって、デバイスの故障は発生していないときでも、デバイスは故障しているという誤った診断を行う可能性があるという不具合がある。
【０００７】
本発明の目的は、電子装置を使用して所定の処理を行う装置において、電子装置の故障の有無判断を的確に行うことができるようにすることである。
【課題を解決するための手段】
【０００８】
請求項１に記載の発明は、電子装置を使用して所定の処理を行う処理手段と、前記電子装置の出力信号を通信により受信する通信受信手段と、信号線を介して前記電子装置の出力信号を直接受信する信号受信手段と、前記通信受信手段で受信した前記出力信号と前記信号受信手段で受信した前記出力信号とに基づいて故障の発生を判定する故障発生判定手段と、を備えている処理装置である。
【０００９】
請求項２に記載の発明は、請求項１に記載の処理装置において、前記故障発生判定手段により故障があると判定したときは故障の事実を報知する報知手段をさらに備えている。
【００１０】
請求項３に記載の発明は、請求項１又は２に記載の処理装置において、前記故障発生判定手段は、前記電子装置が所定の物理量を検出する検出器であったときは前記通信受信手段で受信した前記出力信号のオン、オフと前記信号受信手段で受信した前記出力信号のオン、オフとが不一致であるときには前記電子装置以外の故障があると判定する。
【００１１】
請求項４に記載の発明は、請求項１〜３のいずれかの一項に記載の処理装置において、前記処理手段で処理を行う頻度を検出する頻度検出手段と、前記頻度検出手段で検出した頻度に応じて前記故障有無判定手段で故障の有無を判定する頻度を設定する判定頻度設定手段と、をさらに備え、前記故障発生判定手段は、前記判定頻度設定手段で設定された頻度で前記故障の発生の判定を行う。
【００１２】
請求項５に記載の発明は、請求項４に記載の処理装置において、前記頻度検出手段は、前記処理手段の累計の稼働時間により前記処理手段で処理を行う頻度を検出する。
【００１３】
請求項６に記載の発明は、請求項４に記載の処理装置において、前記頻度検出手段は、前記処理手段で処理を行った累計の処理量により前記処理手段で処理を行う頻度を検出する。
【００１４】
請求項７に記載の発明は、電子装置を使用して所定の処理を行う処理手段と、前記電子装置の出力信号を通信により受信する通信受信手段と、信号線を介して前記電子装置の出力信号を直接受信する信号受信手段と、前記通信受信手段で受信した前記出力信号と前記信号受信手段で受信した前記出力信号とに基づいて故障の発生を判定する故障発生判定手段と、をコンピュータに実行させるコンピュータに読み取り可能な処理制御プログラムである。
【００１５】
請求項８に記載の発明は、請求項７に記載の処理制御プログラムにおいて、前記故障発生判定手段により故障があると判定したときは故障の事実を報知する報知手段をさらにコンピュータに実行させる。
【００１６】
請求項９に記載の発明は、請求項７又は８に記載の処理制御プログラムにおいて、前記故障発生判定手段は、前記電子装置が所定の物理量を検出する検出器であったときは前記通信受信手段で受信した前記出力信号のオン、オフと前記信号受信手段で受信した前記出力信号のオン、オフとが不一致であるときには前記電子装置以外の故障があると判定する。
【００１７】
請求項１０に記載の発明は、請求項７〜９のいずれかの一項に記載の処理制御プログラムにおいて、前記処理手段で処理を行う頻度を検出する頻度検出手段と、前記頻度検出手段で検出した頻度に応じて前記故障有無判定手段で故障の有無を判定する頻度を設定する判定頻度設定手段と、をさらにコンピュータに実行させ、前記故障発生判定手段は、前記判定頻度設定手段で設定された頻度で前記故障の発生の判定を行う。
【発明の効果】
【００１８】
請求項１，７に記載の発明によれば、通信受信手段で受信した電子装置の出力信号と信号受信手段で受信した電子装置の出力信号とに基づいて故障の発生を判定するので、一方の出力信号のみで判断した場合のように、通信ラインの断線などを電子装置の故障と判断することを防止し、電子装置の故障の有無判断を的確に行うことができる。
【００１９】
請求項２，８に記載の発明によれば、故障が発生したときにユーザに報知するので、故障の発生にもかかわらずユーザが処理を実行しようとして、処理が実行できず、あるいは、不十分な処理の実行が行われることを防止することができる。
【００２０】
請求項３，９に記載の発明によれば、通信ラインの断線などを電子装置の故障と判断することを防止し、電子装置の故障の有無判断を的確に行うことができる。
【００２１】
請求項４，１０に記載の発明によれば、処理の実行頻度が高いほど電子装置の故障が発生する可能性も高まるので、故障が発生する可能性の高さに応じた頻度で的確な故障判断を行うことができる。
【００２２】
請求項５に記載の発明によれば、処理装置の累計の稼働時間が多いほど電子装置の故障が発生する可能性も高まるので、故障が発生する可能性の高さに応じた頻度で的確な故障判断を行うことができる。
【００２３】
請求項６に記載の発明によれば、処理装置の累計の処理量が多いほど電子装置の故障が発生する可能性も高まるので、故障が発生する可能性の高さに応じた頻度で的確な故障判断を行うことができる。
【発明を実施するための最良の形態】
【００２４】
以下、本発明の一実施の形態について説明する。
【００２５】
図１は、本実施の形態である画像形成システムの全体構成を示す正面図である。この画像形成システム１は、電子写真方式などの所定の印刷方式で画像形成を行う画像形成装置本体２を備えている。この画像形成装置本体２には、オプション装置を後付して様々なシステムを構築することができる。オプション装置の例としては、図１に図示のとおり、画像形成装置本体２に印刷用の記録紙を供給する用紙供給装置３、画像形成装置本体２で印刷するための原稿の画像を読み取る画像読取装置４、画像形成装置本体２に印刷用の記録紙を大量に供給する大容量用紙供給装置５、画像形成装置本体２で印刷後の記録紙に所定の後処理を施す後処理装置６、などがある。画像形成装置本体２は、各オプション装置を制御し、画像形成装置本体２と各オプション装置との協働により、一連の印刷処理を実行する。
【００２６】
図２は、画像形成装置本体２とオプション装置との接続関係を説明する説明図である。ここでは、画像形成装置本体２とオプション装置としての用紙供給装置３との例で説明する。画像形成装置本体２と用紙供給装置３との電気的な接続は両者をコネクタ７により接続することにより行っている。用紙供給装置３は記録紙を収納する複数の用紙トレイ１１を備えており、各用紙トレイ１１からは用紙搬送経路１２を介して記録紙を搬出する。
【００２７】
画像形成装置本体２は、内部に用紙搬送経路２１を備え、用紙搬送経路２１は用紙供給装置３の用紙搬送経路１２と接続されて、用紙トレイ１１から搬出された記録紙は画像形成装置本体２内に供給される。
【００２８】
用紙供給装置３の用紙搬送経路１２には、各用紙トレイ１１にそれぞれ対応してフィードアウトセンサ１３が設けられている。この各フィードアウトセンサ１３はそれぞれ各用紙トレイ１１から搬出される記録紙を検出するものである。フィードアウトセンサ１３で検出することで用紙トレイ１１から画像形成装置本体２にむけて記録紙が搬出されたことを画像形成装置本体２は知ることができる。
【００２９】
図３は、画像形成装置本体２及びオプション装置の一例としての用紙供給装置３の制御系の電気的な接続のブロック図である。画像形成装置本体２の制御系は、画像形成装置本体２の各部を集中的に制御するＣＰＵ３１と、ＣＰＵ３１が実行する制御プログラムである画像形成制御プログラム３２や各種固定データが格納されたＲＯＭ３３と、ＣＰＵ３１の作業エリアとなるＲＡＭ３４と、不揮発性メモリ３５とが接続されたシステム制御部３６とを備えている。システム制御部３６には所定のインターフェイスを介して各種操作を受け付ける操作パネル３７が接続されている他、各種センサやアクチュエータなどが接続されている。
【００３０】
同様に、用紙供給装置３も用紙供給装置３の各部を集中的に制御するＣＰＵ４１と、ＣＰＵ４１が実行する制御プログラムである画像形成制御プログラムや各種固定データが格納されたＲＯＭ４２と、ＣＰＵ４１の作業エリアとなるＲＡＭ４３とが接続されているシステム制御部４５を備えている。システム制御部４５には、所定のインターフェイスを介して各フィードアウトセンサ１３や、用紙トレイ１１から用紙を搬出する動作を行うアクチュエータであるフィードモータ４６などの各種センサやアクチュエータなどが接続されている。
【００３１】
コネクタ７には、２種類の信号線５１，５２が導通している。信号線５１は、フィードアウトセンサ１３の出力信号を直接、画像形成装置本体２のＣＰＵ３１と、用紙供給装置３のＣＰＵ４１とに送信するための信号線である。符号５３は、当該出力信号を概念的に示している。
【００３２】
信号線５２は、用紙供給装置３のＣＰＵ４１が所定の通信インターフェイスを介して画像形成装置本体２のＣＰＵ３１に有線パケット通信により送信するための信号線である。この信号線５２を介して送信されるパケット５４には、当該パケット５４のヘッダＩＤ、いずれのフィードアウトセンサ１３であるかの識別情報、当該フィードアウトセンサ１３はオンかオフかというフィードアウトセンサ１３の状態を示す状態情報など、各種の情報が含まれている。
【００３３】
次に、画像形成装置本体２のシステム制御部３６が画像形成制御プログラム３２に基づいて実行する特徴的な処理について説明する。
【００３４】
図４は、画像形成制御プログラム３２に基づいて実行する処理の機能ブロック図である。センサモニタ部６１は信号線５１を介して直接フィードアウトセンサ１３の出力信号を受信する。データ通信部６２は信号線５２を介してシステム制御部４５からフィードアウトセンサ１３の出力信号に関する情報をパケット５４により受信する。故障箇所判断部６３は、センサモニタ部６１、データ通信部６２でそれぞれ受信したフィードアウトセンサ１３の出力信号に関する情報に基づいて、フィードアウトセンサ１３、その他の故障の有無を判断する。表示部６４は、故障箇所判断部６３の判断に応じて操作パネル３７にメッセージを表示する。
【００３５】
図５は、通電時間カウンタのカウント処理のフローチャートである。通電時間カウンタは、ＲＡＭ３４の所定領域に構築され、画像形成システム１のメイン電源がオンになっている（すなわち、画像形成システム１が稼動している）時間をカウントするためのカウンタである。
【００３６】
システム制御部３６は、画像形成システム１のメイン電源がオンになったときは（ステップＳ１のＹ）、通電時間カウンタによる画像形成システム１の稼動時間のカウントを開始する（ステップＳ２）。その後、メイン電源がオフにする操作がされると（ステップＳ３のＹ）、通電時間カウンタによる時間のカウントを終了して（ステップＳ４）、通電時間カウンタの値を不揮発性メモリ３５に記憶する（ステップＳ５）。なお、画像形成システム１は省電力モードを備えており、メイン電源がオンになった状態で長時間使用されなかったときなどには使用電力をセーブするようにしているので、このような省電力モードによる使用電力のセーブ中も通電時間カウンタによる時間のカウントを停止する。
【００３７】
そして、図６のルックアップテーブルを参照して、故障箇所判断部６３による故障箇所の判断の実施を行うタイミングを判断し、この実施タイミングを不揮発性メモリ３５に記憶する（ステップＳ６）。図６のルックアップテーブルは、通電時間カウンタの閾値と故障箇所判断部６３による故障箇所の判断の実施タイミングとを関連付けて記憶しているテーブルである。例えば、通電時間カウンタの値が１８７２００分以下であれば、印刷ジョブ（Printの実施）の１０００回実施ごとに１回の故障箇所の判断を行えばよいが、通電時間カウンタの値が９３６０００分を超えれば、毎回の印刷ジョブで故障箇所の判断を行なわなければならない。
【００３８】
図７は、フィードモータオンタイムカウンタのカウント処理のフローチャートである。フィードモータオンタイムカウンタは、ＲＡＭ３４の所定領域に構築され、フィードモータ４６の稼働時間をカウントするカウンタである。フィードモータ４６は、用紙トレイ１１に収納されている記録紙を搬出するためのアクチュエータであるから、このフィードモータ４６の稼働時間から、画像形成システム１で印刷処理を行うときの処理量を判断することができる。フィードモータ４６が複数台搭載されているときは、その全てのフィードモータ４６の稼働時間の総計値をカウントする。
【００３９】
システム制御部３６は、フィードモータ４６をオンにする指示がなされたときは（ステップＳ１１のＹ）、フィードモータオンタイムカウンタのカウント処理を開始する（ステップＳ１２）。そして、フィードモータ４６をオフにする指示がなされたときは（ステップＳ１３のＹ）、フィードモータオンタイムカウンタのカウント処理を停止し（ステップＳ１４）、フィードモータオンタイムカウンタのカウント値を不揮発性メモリ３５に記憶する（ステップＳ１５）。
【００４０】
そして、図８のルックアップテーブルを参照して、故障箇所判断部６３による故障箇所の判断の実施を行うタイミングを判断し、この実施タイミングを不揮発性メモリ３５に記憶する（ステップＳ１６）。図８のルックアップテーブルは、フィードモータオンタイムカウンタの閾値と故障箇所判断部６３による故障箇所の判断の実施タイミングとを関連付けて記憶しているテーブルである。例えば、フィードモータオンタイムカウンタの値が３００分以下であれば、印刷ジョブ（Printの実施）の１０００回実施ごとに１回の故障箇所の判断を行えばよいが、フィードモータオンタイムカウンタの値が１５００分を超えれば、毎回の印刷ジョブで故障箇所の判断を行なわなければならない。
【００４１】
図９は、画像処理システム１のメイン電源がオンにされたときに実施される故障診断処理のフローチャートである。まず、画像処理システム１のメイン電源がオンにされたときは（ステップＳ２１のＹ）、データ通信部６２による通信の確立を図る処理を実施し（ステップＳ２２）、これにより、通信エラーが発生したときは（ステップＳ２３のＹ）、通信エラーの発生を操作パネル３７に表示して報知する（ステップＳ２４）。通信エラーが発生しなかったときは（ステップＳ２３のＮ）、通電カウンタの値に基づいて故障診断を行うか、フィードモータオンタイムカウンタの値に基づいて故障診断を行うかを判断する（ステップＳ２５）。この判断は、予め操作パネル３７を操作して、ユーザが、通電カウンタの値に基づいて故障診断を行うか、フィードモータオンタイムカウンタの値に基づいて故障診断を行うかを設定しておき、この設定内容を判断することにより行う。
【００４２】
そして、通電カウンタの値に基づいて故障診断を行うときは（ステップＳ２５のＹ）、ステップＳ６で記憶した実施タイミングの閾値（図６）を不揮発性メモリ３５から読み出し（ステップＳ２６）、フィードモータオンタイムカウンタの値に基づいて故障診断を行うときは（ステップＳ２５のＮ）、ステップＳ１６で記憶した実施タイミングの閾値（図８）を不揮発性メモリ３５から読み出す（ステップＳ２７）。
【００４３】
そして、この読み出した実施タイミングの閾値により故障診断を行い（詳細は後述）（ステップＳ２８）、画像処理システム１に所定の故障があると判断したときは（ステップＳ２９のＹ）、故障の発生を操作パネル３７にメッセージを表示して報知し（ステップＳ３０）、その故障に対する対処方法も操作パネル３７にメッセージを表示して報知する（ステップＳ３１）。所定の故障がないと判断したときは（ステップＳ２９のＮ）、印刷ジョブの受付を許可する（ステップＳ３２）。
【００４４】
図１０は、画像処理システム１のメイン電源がオンにされた後、印刷ジョブの実行要求があったときの故障診断処理のフローチャートである。システム制御部３６は、印刷ジョブの実行指示があったときは（ステップＳ４１のＹ）、通電カウンタの値に基づいて故障診断を行うか、フィードモータオンタイムカウンタの値に基づいて故障診断を行うかを判断する（ステップＳ４２）。この判断は、予め操作パネル３７を操作して、ユーザが、通電カウンタの値に基づいて故障診断を行うか、フィードモータオンタイムカウンタの値に基づいて故障診断を行うかを設定しておき、この設定内容を判断することにより行う。
【００４５】
そして、通電カウンタの値に基づいて故障診断を行うときは（ステップＳ４２のＹ）、ステップＳ６で記憶した実施タイミングの閾値（図６）を不揮発性メモリ３５から読み出し（ステップＳ４３）、フィードモータオンタイムカウンタの値に基づいて故障診断を行うときは（ステップＳ４２のＮ）、ステップＳ１６で記憶した実施タイミングの閾値（図８）を不揮発性メモリ３５から読み出す（ステップＳ４４）。
【００４６】
そして、この読み出した実施タイミングの閾値により故障診断を行い（詳細は後述）（ステップＳ４５）、画像処理システム１に所定の故障があると判断したときは（ステップＳ４６のＹ）、印刷ジョブの実行を禁止し（ステップＳ４７）。故障の発生を操作パネル３７にメッセージを表示して報知し（ステップＳ４８）、その故障に対する対処方法も操作パネル３７にメッセージを表示して報知する（ステップＳ４９）。所定の故障がないと判断したときは（ステップＳ４６のＮ）、印刷ジョブの実行を許可する（ステップＳ５０）。よって、この場合には印刷ジョブの実行がなされる。
【００４７】
次に、故障診断（ステップＳ２８，Ｓ４５）の詳細について説明する。この故障診断は、データ通信部６２で受信したフィードアウトセンサ１３の状態情報（センサはオンかオフか）と、センサモニタ部６１で受信したフィードアウトセンサ１３の状態情報（センサはオンかオフか）の判断が合致するか否かに基づいて、フィードアウトセンサ１３ごとに行う。
【００４８】
（１）まず、データ通信部６２で受信したフィードアウトセンサ１３の状態情報でフィードアウトセンサ１３がオフであり、センサモニタ部６１で受信した各フィードアウトセンサ１３の状態情報でもフィードアウトセンサ１３がオフであったときは、故障は発生していないので、「コピーできます」というメッセージを操作パネル３７に表示する。
【００４９】
（２）また、データ通信部６２で受信したフィードアウトセンサ１３の状態情報でフィードアウトセンサ１３がオンであり、センサモニタ部６１で受信した各フィードアウトセンサ１３の状態情報でもフィードアウトセンサ１３がオンであったときは、当該フィードアウトセンサ１３で検知しうる範囲に記録紙が存在しており、これは記録紙のジャムの発生と判断できるので、「フィードアウトセンサ上に用紙があります。扉を開いて用紙を除去してください。」というメッセージを操作パネル３７に表示する。
【００５０】
（３）データ通信部６２で受信したフィードアウトセンサ１３の状態情報でフィードアウトセンサ１３がオフであり、センサモニタ部６１で受信した各フィードアウトセンサ１３の状態情報でもフィードアウトセンサ１３がオンであったときは、コネクタ７が正しく接続されていない、または、コネクタ７のケーブルの一部が断線していると判断することができ、フィードアウトセンサ１３の故障とは考えにくい。よって、この場合は、「電源を切って、コネクタの接続状態を確認してください。」というメッセージを操作パネル３７に表示する。
【００５１】
（４）データ通信部６２で受信したフィードアウトセンサ１３の状態情報でフィードアウトセンサ１３がオンであり、センサモニタ部６１で受信した各フィードアウトセンサ１３の状態情報でもフィードアウトセンサ１３がオフであったときは、コネクタ７が正しく接続されていない、または、コネクタ７のケーブルの一部が断線していると判断することができ、フィードアウトセンサ１３の故障とは考えにくい。よって、この場合は、「フィードアウトセンサ上に用紙があります。扉を開いて用紙を除去してください。実施後、電源を切って、コネクタの接続状態を確認してください。」というメッセージを操作パネル３７に表示する。
【００５２】
以上、画像処理装置本体２が用紙供給装置３のフィードアウトセンサ１３の出力信号に基づいて故障診断を行う例について説明したが、他のセンサやアクチュエータについても同様の判断を行ってよい。
【００５３】
また、他のオプション装置のセンサやアクチュエータについても同様の判断を行ってよい。
【００５４】
さらに、本例では画像処理システム１の例を用いて説明したが、様々なセンサやアクチュエータを用いて所定の処理を実行する様々な装置に本技術を適用することができる。
【図面の簡単な説明】
【００５５】
【図１】本発明の一実施の形態である画像形成システムの全体構成を示す正面図である。
【図２】画像形成装置本体と用紙供給装置との接続関係を説明する説明図である。
【図３】画像形成装置本体及び用紙供給装置の制御系の電気的な接続のブロック図である。
【図４】画像形成制御プログラムに基づいて実行する処理の機能ブロック図である。
【図５】通電時間カウンタのカウント処理のフローチャートである。
【図６】ルックアップテーブルの説明図である。
【図７】フィードモータオンタイムカウンタのカウント処理のフローチャートである。
【図８】ルックアップテーブルの説明図である。
【図９】画像処理システムのメイン電源がオンにされたときに実施される故障診断処理のフローチャートである。
【図１０】画像処理システムのメイン電源がオンにされた後、印刷ジョブの実行要求があったときの故障診断処理のフローチャートである。
【符号の説明】
【００５６】
１    画像形成システム
２    画像処理装置本体
３    用紙供給装置
７    コネクタ
１１  用紙トレイ
１３  フィードアウトセンサ
６１  センサモニタ部
６２  データ通信部
６３  故障箇所判断部
６４  表示部
【図１】
2009300598.tif 000003
【図２】
2009300598.tif 000004
【図３】
2009300598.tif 000005
【図４】
2009300598.tif 000006
【図５】
2009300598.tif 000007
【図６】
2009300598.tif 000008
【図７】
2009300598.tif 000009
【図８】
2009300598.tif 000010
【図９】
2009300598.tif 000011
【図１０】
2009300598.tif 000012